(57)【要約】【課題】円筒体の軸線を垂直方向に簡単に調整でき、調整時間の短縮により稼働率の向上を図ることにある。【解決手段】下端部外周に雄ねじ部１ａが形成された昇降ロッド１と、雄ねじ部１ａに取り付けられるベース部材２と、ベース部材２の下方の雄ねじ部１ａに取り付けられ、感光体ドラム（円筒体）Ｋの上端部を把持するエアピッカ（把持具）３と、ベース部材２の下方に配置され、エアピッカ３で把持された感光体ドラムＫの上端面に当接することにより感光体ドラムＫの軸線を特定の方向に支持する基準面７１を有する支持部材７と、支持部材７をベース部材２に連結すると共に、支持部材７の傾きを調整することにより基準面７１で支持された感光体ドラムＫの軸線を垂直方向に調整する傾き調整手段８とを備えた構成になっている。【選択図】図１
2005219908.tif 000002
【特許請求の範囲】
【請求項１】
上下方向の軸線に沿って移動自在に設けられ、下端部外周に雄ねじ部が形成された昇降ロッドと、
この昇降ロッドの前記雄ねじ部に取り付けられるベース部材と、
このベース部材から下方に突出する前記雄ねじ部に取り付けられ、円筒体の上端部を把持する把持具と、
前記ベース部材の下方に配置され、前記把持具で把持された前記円筒体の上端面に当接することにより当該円筒体の軸線を特定の方向に支持する基準面を有する支持部材と、
この支持部材を前記ベース部材に連結すると共に、当該支持部材の傾きを調整することにより、前記基準面で支持された前記円筒体の軸線を垂直方向に調整する傾き調整手段とを具備することを特徴とする円筒体の吊り下げ装置。
【発明の詳細な説明】
【技術分野】
【０００１】
本発明は、感光体ドラム等の円筒体を垂直方向に調整した状態で吊り下げるための円筒体の吊り下げ装置に関するものである。
【背景技術】
【０００２】
複写機、プリンタ、ファクシミリ等の画像形成に用いられる感光体ドラム（円筒体）は、多くの工程を経て製造される。その製造現場では、各種の工程部において、感光体ドラムを吊り下げるための円筒体の吊り下げ装置が利用されている。例えば、感光体層等の塗膜を部分的に除去する工程では、感光体ドラムの軸線を垂直方向に精度よく揃える必要がある。図３は、感光体ドラムを垂直に吊り下げるための円筒体の吊り下げ装置の例を示している。
【０００３】
図３において、１は昇降ロッド、２はベース部材、３はエアピッカ（把持具）、Ｋは感光体ドラムである。昇降ロッド１は、エアシリンダの伸縮ロッドよりなり、その軸線が垂直方向に延在し、下端部外周には雄ねじ部１ａが形成されている。ベース部材２は、円板状に形成されており、その軸心部には雄ねじ部１ａの挿通可能な貫通孔２ａが形成されている。このベース部材２は、雄ねじ部１ａに螺合するナット５及びエアピッカ３によって上下から挟持されることにより、昇降ロッド１に固定されると共に、基準面としての下面２１が昇降ロッド１の軸線に直交し、水平方向を向くようになっている。そして、ベース部材２は、その下面２１に感光体ドラムＫの上端面を当接させることにより、当該感光体ドラムＫの軸線を垂直方向に支持するようになっている。
【０００４】
エアピッカ３は、円柱状の本体部３１と、この本体部３１の下方に設けられエアによって外周面が樽形状や球状等に膨らむ弾性膜部３２とを備えた構成になっている。本体部３１には、その軸心部に上端面からねじ孔３１ａが形成されている。このエアピッカ３は、ねじ孔３１ａが昇降ロッド１の雄ねじ部１ａの下端部に螺合するようになっている。
【０００５】
そして、エアピッカ３は、弾性膜部３２を感光体ドラムＫの上端部内に挿入した状態において、エアの給排操作により弾性膜部３２を膨張・収縮させ、これにより感光体ドラムＫの内周面に対する把持・把持解除が可能になっている。即ち、エアピッカ３は、上端面をベース部材２の下面２１に当接させることによって軸線が垂直方向に向けられた感光体ドラムＫをその状態に保持しながら把持するようになっている。なお、エアピッカ３へのエアの給排は、昇降ロッド１の内部の通路や他の外部流路を通して行うことになる。
【発明の開示】
【発明が解決しようとする課題】
【０００６】
ところが、上記従来の円筒体の吊り下げ装置においては、ベース部材２がナット５及びエアピッカ３によって昇降ロッド１の雄ねじ部１ａに取り付けられているので、ナット５及びエアピッカ３を単に締め付けただけではベース部材２の下面２１を水平方向に調整することができない。即ち、熟練した技術者がナット５及びエアピッカ３の回転位置や締め付けトルク等を微妙に調整することにより、初めてベース部材２の下面２１を水平方向に調整することができ、これによって感光体ドラムＫを垂直方向に支持することができる。
【０００７】
このため、感光体ドラムＫの軸線を垂直方向に調整するために時間がかかり、稼働率が低下するという問題があった。しかも、エアピッカ３を交換した場合には、感光体ドラムＫの軸線を再度調整し直さなければならず、更に稼働率が低下することになる。
【０００８】
本発明は、上記事情を考慮し、円筒体の軸線を垂直方向に簡単に調整することができ、その調整時間の短縮により稼働率の向上を図ることのできる円筒体の吊り下げ装置を提供することを目的とする。
【課題を解決するための手段】
【０００９】
請求項１に記載の発明は、上下方向の軸線に沿って移動自在に設けられ、下端部外周に雄ねじ部が形成された昇降ロッドと、この昇降ロッドの前記雄ねじ部に取り付けられるベース部材と、このベース部材から下方に突出する前記雄ねじ部に取り付けられ、円筒体の上端部を把持する把持具と、前記ベース部材の下方に配置され、前記把持具で把持された前記円筒体の上端面に当接することにより当該円筒体の軸線を特定の方向に支持する基準面を有する支持部材と、この支持部材を前記ベース部材に連結すると共に、当該支持部材の傾きを調整することにより、前記基準面で支持された前記円筒体の軸線を垂直方向に調整する傾き調整手段とを具備することを特徴としている。
【発明の効果】
【００１０】
請求項１に記載の発明によれば、ベース部材の下方に配置され、把持具で把持された円筒体の上端面に当接することにより当該円筒体の軸線を特定の方向に支持する基準面を有する支持部材と、この支持部材をベース部材に連結すると共に、支持部材の傾きを調整することにより、基準面で支持された円筒体の軸線を垂直方向に調整する傾き調整手段とを備えているので、雄ねじ部に単に取り付けられたためにベース部材を特定の方向に設定できない場合であっても、傾き調整手段によって基準面の方向を例えば水平方向に調整することにより、円筒体の軸線を垂直方向に簡単かつ正確に調整することができる。
【００１１】
即ち、円筒体の上端面が軸線に対して直交していれば、基準面を水平方向に調整することによって、円筒体の軸線を垂直方向に調整することができる。また、円筒体の上端面が軸線に対して直交していない場合でも、基準面の傾きを調整することにより、円筒体の軸線を垂直方向に調整することができる。更に、昇降ロッドの軸線が垂直方向に向いていない等、円筒体の軸線方向を垂直方向に対して誤差を生じさせる種々の要因があっても、傾き調整手段によって、円筒体の軸線を垂直方向に簡単かつ正確に調整することができる。
【００１２】
また、雄ねじ部に対して把持具を交換する場合でも、雄ねじ部に取り付けられたベース部材、支持部材等に影響を与えることがないので、再度基準面の傾きを調整する必要がない。また、仮に、把持具の交換に伴って、基準面の傾きが変化した場合でも、当該基準面の傾きを簡単に調整することができる。
【００１３】
従って、円筒体の軸線を垂直方向に調整するための作業時間の短縮を図ることができるので、稼働率の向上を図ることができる。
【発明を実施するための最良の形態】
【００１４】
以下、図面を参照して本発明の一実施形態について説明する。ただし、従来例で示した構成要素と共通する要素には同一の符号を付し、その説明を簡略化する。
図１はこの実施形態で示した円筒体の吊り下げ装置の正面図、図２（ａ）はその要部拡大図、（ｂ）は（ａ）のＩＩｂ−ＩＩｂ矢視図、（ｃ）は（ａ）のＩＩｃ−ＩＩｃ矢視図である。
【００１５】
この実施形態で示す円筒体の吊り下げ装置１０は、図１に示すように、円筒体である感光体ドラムＫを垂直な姿勢で吊り下げる装置であって、昇降ロッド１と、昇降ロッド１の雄ねじ部１ａにナット５、６によって取り付けられるベース部材２と、そのベース部材２から下方に突出する雄ねじ部１ａに取り付けられたエアピッカ３と、ベース部材２の下方に配置され、エアピッカ３で把持された感光体ドラムＫの上端面に当接することにより当該感光体ドラムＫの軸線を特定方向に支持する基準面７１を有する支持部材７と、この支持部材７をベース部材２に連結すると共に、当該支持部材７の傾きを調整することにより、基準面７１で支持された感光体ドラムＫの軸線を垂直方向に調整する傾き調整手段８とを備えた構成になっている。
【００１６】
ベース部材２は、図２に示すように、貫通孔２ａに昇降ロッド１の雄ねじ部１ａを挿入した状態で、ナット５、６によって固定されるようになっている。即ち、ベース部材２は、雄ねじ部１ａに螺合するナット５、６をそれぞれベース部材２の上面２２及び下面２１に向けて締め付けることにより、昇降ロッド１の軸線に対してほぼ直交した状態（即ち、略水平の状態）となるように、当該雄ねじ部１ａに固定されるようになっている。
【００１７】
また、ベース部材２の周縁部には、当該ベース部材２の軸心と同軸状の円周線上の位置であって周方向に６等分した各位置に第１のねじ孔２ｂ及び第２のねじ孔２ｃが交互に形成されている。即ち、第１のねじ孔２ｂ及び第２のねじ孔２ｃは、それぞれ周方向に３等分した各位置に貫通すべく形成されている。
【００１８】
エアピッカ３は、図１に示すように、雄ねじ部１ａにおけるナット６から下方に突出する端部にねじ孔３１ａを螺合し、本体部３１の上端面をナット６の下端面に向けて締め付けることにより、弾性膜部３２を下方に配した状態で、昇降ロッド１の下端部に同軸状に固定されるようになっている。
【００１９】
支持部材７は、図２に示すように、その軸心と同軸状の円形の貫通孔７ａを有する中空円板によって形成されており、外周縁がベース部材２の外周縁と同径に形成され、貫通孔７ａがエアピッカ３の本体部３１の挿入が可能な径に形成されている。
【００２０】
この支持部材７には、当該支持部材７の軸心をベース部材２の軸心に合わせた際に当該ベース部材２の第１のねじ孔２ｂに対応する３つの位置に皿ねじ８１の雄ねじ部８１ａを挿通する貫通孔７ｂが形成されている。そして、支持部材７の下方を向く基準面７１には、各貫通孔７ｂと同軸状にテーパ状の座繰り７ｃが形成されている。座繰り７ｃは、貫通孔７ｂに下方から挿入した皿ねじ８１の頭部８１ｂを収容し、当該頭部８１ｂが基準面７１から下方に突出するのを防止するようになっている。
【００２１】
そして、各貫通孔７ｂに挿入した皿ねじ８１の雄ねじ部８１ａは、上方に位置するベース部材２の第１のねじ孔２ｂにねじ込まれることにより、支持部材７を周方向に３等分する位置で吊持するようになっている。また、各皿ねじ８１におけるベース部材２の上面２２から上方に突出した端部には、ロックナット８２が螺合している。このロックナット８２は、ベース部材２の上面２２に締め付けることにより、皿ねじ８１をベース部材２の第１のねじ孔２ｂに確実に固定するようになっている。
【００２２】
一方、ベース部材２における各第２のねじ孔２ｃには、上方からボルト８３がねじ込まれるようになっている。各ボルト８３は、雄ねじ部８３ａの先端８３ｃを支持部材７の上面７２に当接させることにより、支持部材７の上方への移動を周方向に３等分する位置で阻止するようになっている。即ち、支持部材７は、各皿ねじ８１及び各ボルト８３によってベース部材２の下方における所定の位置に固定されるようになっている。また、ボルト８３の雄ねじ部８３ａには、ベース部材２の上面２２側の位置にロックナット８４が螺合している。このロックナット８４は、ベース部材２の上面２２に締め付けることにより、ボルト８３をベース部材２の第２のねじ孔２ｃに確実に固定するようになっている。更に、ボルト８３の頭部８３ｂは六角形状に形成されており、先端面８３ｃは球面状に形成されている。
【００２３】
なお、皿ねじ８１及びボルト８３は、ねじのサイズの同じものを用いている。従って、第１のねじ孔２ｂ、第２のねじ孔２ｃ、ロックナット８２、８４は、ねじのサイズがすべて同一でり、互換性の優れたものとなっている。ただし、皿ねじ８１側と、ボルト８３側とでねじのサイズを異ならせてもよい。
【００２４】
また、皿ねじ８１及びボルト８３は、それぞれ第１のねじ孔２ｂ及び第２のねじ孔２ｃに対するねじ込み量を調整することにより、基準面７１の傾きを水平方向等の所定の方向に調整することが可能である。即ち、少なくとも３本の一方のねじとしての皿ねじ８１及び少なくとも３本の他方のねじとしてのボルト８３によって上記傾き調整手段８が構成されている。この実施形態の場合、感光体ドラムＫにおける上端面と軸線とが直交しているので、当該上端面を水平方向に調整された基準面７１に当接させることにより、感光体ドラムＫの軸線を垂直方向に延在させることが可能である。
【００２５】
次に作用効果を説明する。
まず、感光体ドラムＫを吊り下げる前に、皿ねじ８１及びボルト８３の第１のねじ孔２ｂ及び第２のねじ孔２ｃに対するねじ込み量を調整することにより、基準面７１の水平度を出し、支持部材７を全く遊びの無い状態に固定する。
【００２６】
この場合、３つの皿ねじ８１を調整することによって支持部材７の基準面７１を水平方向に合わせた後、ボルト８３を締め付けることにより、基準面７１を水平方向に簡単かつ正確に合わせることができる。
【００２７】
また、感光体ドラムＫの上端面を支持部材７の基準面７１に突き当てながら、エアピッカ３で感光体ドラムＫを把持することにより、感光体ドラムＫを垂直方向に高い精度をもって吊り下げ保持することができる。
【００２８】
以上のように、皿ねじ８１及びボルト８３からなる傾き調整手段８を介して支持部材７を設けているので、支持部材７の基準面７１の方向を水平方向に簡単かつ正確に調整することができ、これにより感光体ドラムＫの軸線を垂直方向に簡単に調整することができる。
【００２９】
即ち、昇降ロッド１の軸線が垂直方向に向いていないなど、感光体ドラムＫの軸線方向を垂直方向に対して誤差を生じさせる種々の要因があっても、傾き調整手段８によって、感光体ドラムＫの軸線を垂直方向に簡単に調整することができる。
【００３０】
また、エアピッカ３を交換する場合でも、ベース部材２、支持部材７、傾き調整手段８等に何らの影響もないので、再度支持部材７の傾きを調整するような必要がない。また、仮に、エアピッカ３の交換に伴って、基準面７１が水平方向からずれた場合でも、当該水平方向に容易に調整することができる。
【００３１】
従って、感光体ドラムＫの軸線を垂直方向に調整するための作業時間の短縮を図ることができるので、稼働率の向上を図ることができる。
【図面の簡単な説明】
【００３２】
【図１】本発明の一実施形態として示した円筒体の吊り下げ装置の正面図である。
【図２】同円筒体の吊り下げ装置を示す図であって、（ａ）は要部拡大図、（ｂ）は（ａ）のＩＩｂ−ＩＩｂ矢視図であり、（ｃ）は（ａ）のＩＩｃ−ＩＩｃ矢視図である。
【図３】従来例として示した円筒体の吊り下げ装置の正面図である。
【符号の説明】
【００３３】
１  昇降ロッド
１ａ  雄ねじ部
２  ベース部材
３  エアピッカ（把持具）
７  支持部材
１０  円筒体の吊り下げ装置
７１  基準面
８  傾き調整手段８
８１  皿ねじ（一方のねじ）
８３  ボルト（他方のねじ）
Ｋ  感光体ドラム（円筒体）
【図１】
2005219908.tif 000003
【図２】
2005219908.tif 000004
【図３】
2005219908.tif 000005